(57)【特許請求の範囲】
【請求項１】
ＪＯＢに基づいて用紙に画像形成を行う画像形成部と、画像形成装置内の各部動作を制御し、１以上の動作項目について自動調整と手動調整とを可能にする制御部と、情報の表示を行うとともに操作者による操作入力を受け付ける操作表示部と、を備え、
前記制御部は、前記操作表示部を介して前記動作項目に対する前記自動調整と前記手動調整の選択を可能にし、前記手動調整が選択されている場合に、前記用紙の切り替わりまたは前記ＪＯＢの切り替わりのタイミングで、前記操作表示部に前記手動調整の変更に関する判断を促す表示として、前記手動調整の継続可否を操作者が決定する操作釦の表示を行うことを特徴とする画像形成装置。
【請求項２】
ＪＯＢに基づいて用紙に画像形成を行う画像形成部と、画像形成装置内の各部動作を制御し、１以上の動作項目について自動調整と手動調整とを可能にする制御部と、情報の表示を行うとともに操作者による操作入力を受け付ける操作表示部と、を備え、
前記制御部は、前記操作表示部を介して前記動作項目に対する前記自動調整と前記手動調整の選択を可能にし、前記手動調整が選択されている場合に、前記用紙の切り替わりまたは前記ＪＯＢの切り替わりのタイミングで、前記操作表示部に前記手動調整の変更に関する判断を促す表示を行うとともに、装置の動作条件に応じた、手動調整に関するアドバイス表示を行い、前記アドバイス表示は、調整対象となる動作項目が定着エア分離ファンの風量調整である場合、画像濃度と定着シワと定着分離性と定着ローラーへの巻きつきの関係を表示するものであることを特徴とする画像形成装置。
【請求項３】
前記制御部は、前記操作表示部に前記手動調整の継続可否を操作者が決定する操作釦の表示を行う際に、装置の動作条件に応じた、手動調整に関するアドバイス表示を行うことを特徴とする請求項１に記載の画像形成装置。
【請求項４】
前記制御部は、前記手動調整が可能な動作項目毎に前記アドバイス表示の可否を設定可能であることを特徴とする請求項２または３に記載の画像形成装置。
【請求項５】
前記手動調整の変更に関する前記判断は、前記手動調整の継続可否および前記手動調整内容の変更の有無であることを特徴とする請求項１に記載の画像形成装置。
【請求項６】
前記手動調整の変更に関する前記判断は、前記手動調整の継続可否または／および前記手動調整内容の変更の有無であることを特徴とする請求項２〜４のいずれか１項に記載の画像形成装置。
【請求項７】
前記制御部は、１または２以上の前記動作項目毎に前記判断を促す表示内容を設定可能であることを特徴とする請求項１〜６のいずれか１項に記載の画像形成装置。
【請求項８】
前記制御部は、前記タイミングで前記判断を促す表示を行うか否かの設定が可能であることを特徴とする請求項１〜７のいずれか１項に記載の画像形成装置。
【請求項９】
前記制御部は、１または２以上の前記動作項目毎に前記設定が可能であることを特徴とする請求項８記載の画像形成装置。
【請求項１０】
前記制御部は、１以上の前記動作項目について前記手動調整の調整範囲を前記自動調整の調整範囲よりも広くすることを特徴とする請求項１〜９のいずれか１項に記載の画像形成装置。
【請求項１１】
前記制御部は、１以上の前記動作項目について前記手動調整を前記自動調整よりも詳細に調整可能にすることを特徴とする請求項１〜１０のいずれか１項に記載の画像形成装置。
【請求項１２】
前記タイミングは、用紙なし、または自動給紙トレイ切替のタイミングもしくは新規ＪＯＢ開始のタイミングであることを特徴とする請求項１〜１１のいずれか１項に記載の画像形成装置。
【請求項１３】
前記手動調整が可能な動作項目として、給紙時の紙捌き風量調整、定着エア分離ファンの風量調整、デカーラのデカール量調整、加湿装置の加湿度調整、カラーセンサの感度調整または用紙表裏への印字倍率の調整の一以上を含むことを特徴とする請求項１〜１２のいずれか１項に記載の画像形成装置。
【請求項１４】
前記自動調整および手動調整は、用紙の種類に応じて調整が行われるものであることを特徴とする請求項１〜１３のいずれか１項に記載の画像形成装置。
【発明の詳細な説明】
【技術分野】
【０００１】
この発明は、画像データに基づいて画像形成を行う画像形成装置に関するものであり、特に、各部の動作項目について動作パラメータの自動調整と手動調整とが可能な画像形成装置に関する。
【背景技術】
【０００２】
画像データに基づいて用紙に画像を形成して定着し、さらに所望により後処理を行う画像形成装置では、画像品質などを良好に保つために各部の動作を自動的に調整している。例えば、用紙の種類に対応して、給紙時の紙捌きファンの風量、定着エア分離ファンの風量、加湿装置の加湿度調整などが自動的に調整される。このため、用紙の種類を認識した上でこれらの自動調整が行われるが、ＪＯＢの実行中に用紙の種類が変わる可能性があり、その場合、用紙の種類が変わる可能性のある動作を認識する必要がある。
例えば、特許文献１では、給紙が行われる給紙トレイの挿抜を検知して給紙トレイの挿抜前後の用紙の種類の認識を可能にしている。
また、特許文献２では、給紙トレイの切替時にトレイ切替の可否を操作者に問い合わせることによって、操作者の意図に反する紙質の用紙に自動切り替えされないようにしている。
【先行技術文献】
【特許文献】
【０００３】
【特許文献１】特開２０００−２４７４６５号公報
【特許文献２】特開２００２−３２１８４３号公報
【発明の概要】
【発明が解決しようとする課題】
【０００４】
ところで、画像形成装置によっては、前記動作項目において自動調整の他に、手動による調整を可能にしている。手動調整が行われた場合、該設定は、操作者による解除操作や設定の変更がなされない限りは、調整内容が保持されて手動調整のままになるのが通常である。このため、特許文献１、２などによって用紙の種類が正確に認識されていても、用紙の種類が変わってしまうと、それ以前の手動調整設定が保持されているため、最適な条件設定でない状況で画像形成などが行われてしまうおそれがある。また、ＪＯＢが完了し、別のＪＯＢを開始する際にも適切な調整がなされないと同様の状況となり、ＪＡＭなどの不具合の原因となってしまうおそれがある。このため、操作者は用紙が変わるなどした場合に、十分に注意して手動調整の内容の適否などを判断することが求められるが、不注意などによってそのまま手動調整が継続されてしまうことが懸念される。
【０００５】
本発明は、上記事情を背景としてなされたものであり、手動調整が選択されている場合に、所定のタイミングで操作者に注意を促すことで、用紙の種類などに応じた適切な調整がなされることを可能にする画像形成装置を提供することを目的とする。
【課題を解決するための手段】
【０００６】
すなわち、本発明の画像形成装置は、ＪＯＢに基づいて用紙に画像形成を行う画像形成部と、画像形成装置内の各部動作を制御し、１以上の動作項目について自動調整と手動調整とを可能にする制御部と、情報の表示を行うとともに操作者による操作入力を受け付ける操作表示部と、を備え、
前記制御部は、前記操作表示部を介して前記動作項目に対する前記自動調整と前記手動調整の選択を可能にし、前記手動調整が選択されている場合に、前記用紙の切り替わりまたは前記ＪＯＢの切り替わりのタイミングで、前記操作表示部に前記手動調整の変更に関する判断を促す表示として、前記手動調整の継続可否を操作者が決定する操作釦の表示を行うことを特徴とする。
また、本発明の他の形態の画像形成装置は、ＪＯＢに基づいて用紙に画像形成を行う画像形成部と、画像形成装置内の各部動作を制御し、１以上の動作項目について自動調整と手動調整とを可能にする制御部と、情報の表示を行うとともに操作者による操作入力を受け付ける操作表示部と、を備え、
前記制御部は、前記操作表示部を介して前記動作項目に対する前記自動調整と前記手動調整の選択を可能にし、前記手動調整が選択されている場合に、前記用紙の切り替わりまたは前記ＪＯＢの切り替わりのタイミングで、前記操作表示部に前記手動調整の変更に関する判断を促す表示を行うとともに、装置の動作条件に応じた、手動調整に関するアドバイス表示を行い、前記アドバイス表示は、調整対象となる動作項目が定着エア分離ファンの風量調整である場合、画像濃度と定着シワと定着分離性と定着ローラーへの巻きつきの関係を表示するものであることを特徴とする。
【０００７】
本発明によれば、一以上の動作項目において自動調整が選択されていると、用紙の切り替わりや、ＪＯＢの切り替わりで操作表示部において操作者に手動調整の変更判断が求められ、適切でない条件で手動調整が継続されるのを回避できる。
用紙の切り替わりや、ＪＯＢの切り替わりでは、用紙の種類が変わるなどして動作項目の調整が必要になる割合が高く、このタイミングで上記判断を求める表示を行うことが効果的である。
用紙の切り替わりタイミングとしては、用紙なしや、自動給紙トレイ切替が挙げられる。また、ＪＯＢの切り替わりタイミングとしては、新規のＪＯＢの開始が挙げられる。
本発明では、用紙の種類に応じて自動調整および手動調整がなされるものに好適に適用することができるが、本発明としてはこれに限定されるものではなく、用紙の種類とは無関係に各動作項目の自動調整および手動調整がなされるものであってもよい。
【０００８】
手動調整の変更としては、手動調整の継続可否、手動調整内容の変更の有無が例示される。該変更に係る表示は、動作項目毎に表示内容を設定可能としてもよく、全ての動作項目で同様の表示内容としてもよい。
上記表示は、前記タイミングで表示を行うか否かを設定できるようにしてもよく、該設定を１または２以上の前記動作項目毎に行えるようにしてもよい。
これによって、上記タイミングで常に上記表示が行われて操作者が煩わしく感じるのを回避できる。また、動作項目によって表示の可否を設定可能にすることで、重要な項目については表示を行い、重要度が低いものでは上記表示を行わないように設定することも可能である。
【０００９】
また、上記手動調整では、より適切に調整を行えるように調整範囲を自動調整よりも広くしたり、調整を自動調整よりも詳細に行えるようにしてもよい。
手動調整が可能な動作項目は、前記したように用紙の種類に応じて調整がなされるものが代表的に示されるが、本発明としては動作項目が特定のものに限定されるものではない。具体的には、給紙時の紙捌き風量の調整、定着エア分離ファンの風量調整、デカーラのデカール量調整、加湿装置の加湿度調整、カラーセンサの感度調整または用紙表裏への印字倍率の調整などが例示される。
【００１０】
前記判断を促す表示を行う際には、装置の動作条件に応じた、手動設定に関するアドバイス表示を行うようにしてもよい。これにより、操作者はアドバイスに従って手動調整を容易に行うことができる。
該アドバイスは、手動調整の継続が選択された際や、手動調整の内容変更が選択された際に表示されるようにしてもよい。
該アドバイスは、手動調整がされる動作項目の１または２以上で表示されるようにしてもよく、また、表示される動作項目を設定可能にしてもよい。
アドバイス表示がなされる手動調整の内容としては、本発明は特に限定されるものではない。具体例としては、例えば、調整対象となる動作項目が定着エア分離ファンの風量調整である場合、画像濃度と定着シワと定着分離性と下ローラーへの巻きつきの関係を表示するものが挙げられる。
【発明の効果】
【００１１】
以上、説明したように本発明の画像形成装置によれば、ＪＯＢに基づいて用紙に画像形成を行う画像形成部と、画像形成装置内の各部動作を制御し、１以上の動作項目について自動調整と手動調整とを可能にする制御部と、情報の表示を行うとともに操作者による操作入力を受け付ける操作表示部と、を備え、前記制御部は、前記操作表示部を介して前記動作項目に対する前記自動調整と前記手動調整の選択を可能にし、前記手動調整が選択されている場合に、前記用紙の切り替わりまたは前記ＪＯＢの切り替わりのタイミングで、前記操作表示部に前記手動調整の変更に関する判断を促す表示として、前記手動調整の継続可否を操作者が決定する操作釦の表示を行うので、１以上の動作項目について手動調整が選択されている際に適切なタイミングで手動調整の変更に関する判断が操作表示部を通して求められ、手動調整が不適切な内容のままで継続されたり、設定の漏れが生じたりするのを防止し、不要なＪＡＭや出力用紙のシワの発生を確実に低減することが可能となり、また良好な画像形成品質などを維持することが可能になる。
また、他の形態の画像形成装置によれば、前記タイミングで、装置の動作状態に応じた、手動調整に関するアドバイス表示を行い、前記アドバイス表示は、調整対象となる動作項目が定着エア分離ファンの風量調整である場合、画像濃度と定着シワと定着分離性と定着ローラーへの巻きつきの関係を表示するものであるので、操作者は、アドバイス表示に従って、定着エア分離ファンの風量調整に関し、手動調整を容易に行うことができる。
【図面の簡単な説明】
【００１２】
【図１】本発明の一実施形態における機械的構成を示す概略図である。
【図２】同じく、制御ブロックを示す図である。
【図３】同じく、操作表示部における定着エア分離ファン風量の自動または手動による調整設定画面を示す図である。
【図４】同じく、操作表示部における手動調整の変更に関する問い合わせ画面を示す図である。
【図５】同じく、操作表示部における問い合わせ表示可否画面を示す図である。
【図６】同じく、手動調整がなされている際のジョブの処理手順の一部を示すフローチャートである。
【図７】同じく、手動調整がなされている際のジョブの処理手順の一部を示すフローチャートである。
【図８】同じく、操作表示部におけるアドバイス表示画面の一例を示す図である。
【発明を実施するための形態】
【００１３】
以下に、本発明の一実施形態を添付図面に基づいて説明する。
図１は、本発明の画像形成装置１の機械的構成を示す図であり、画像形成装置本体Ａと、加湿装置Ｂと、後処理装置Ｃとを備えている。
なお、この実施形態では、加湿装置および後処理装置を備える画像形成装置について説明するが、本発明としては、加湿装置、後処理装置を備えないで、画像形成装置本体単独で画像形成装置が構成されるものであってもよい。
【００１４】
画像形成装置本体Ａは、画像読取部１１、画像処理部１２、画像書込部１３、画像形成部１４、給紙カセット１５、給紙搬送部１６、定着装置１７、搬送反転部１６ａ、排紙ローラ１８を備えている。
画像形成装置本体Ａの上部には、自動原稿送り装置ＡＤＦが搭載されており、該自動原稿送り装置ＡＤＦの側方に操作表示部１９が配置されている。
画像形成装置本体Ａの図示の左側面の排紙ローラ１８側には、加湿装置Ｂが連結されている。
【００１５】
自動原稿送り装置ＡＤＦの原稿台上に載置された原稿は矢印方向に搬送され、画像読取部１１の光学系により原稿の画像がＣＣＤイメージセンサ１１Ａに結像されて読み込まれる。
ＣＣＤイメージセンサ１１Ａにより光電変換されたアナログ信号は、画像処理部１２において、アナログ処理、Ａ／Ｄ変換、シェーディング補正、画像圧縮処理等を行った後、画像書込部１３に送られる。
【００１６】
画像形成時には、画像書込部１３の半導体レーザから原稿画像に応じた出力光が発せられ、画像形成部１４の感光体ドラム１４Ａに照射されて潜像を形成する。画像形成部１４においては、帯電、露光、現像、転写、分離、クリーニング等の処理が行われる。
給紙カセット１５には、紙捌きファン１５ａが配置されており、給紙に際し該紙捌きファン１５ａで紙捌きが行われつつ給紙がなされる。給紙カセット１５から給紙部１６により給送された用紙Ｓ１は、現像処理により潜像をトナー像とされた感光体ドラム１４Ａに当接し、転写手段１４Ｂによりトナー像を転写される。
【００１７】
トナー像を担持した用紙Ｓ１は、定着装置１７により定着される。定着装置１７には、定着ローラに向けてエアを吹き付けて用紙のエア分離を行う定着エア分離ファン１７ａが配置されている。該定着エア分離ファン１７ａは、エアの吹きつけによって定着ローラへの用紙巻き付きを防止する
定着装置１７でトナー像が定着された用紙Ｓ１は、所望により反転部１６ａに搬送され、裏面側への画像形成がなされる。
画像形成が完了した用紙は排紙ローラ１８側に搬送される。排紙ローラ１８側には、所望により用紙のデカール（カール除去）を行うデカーラ（図示しない）が設けられている。用紙Ｓ１は、排紙ローラ１８から加湿装置Ｂに送り込まれる。
なお、定着装置１７でトナー像の定着が行われた用紙の画像を検知するカラーセンサを設け、該カラーセンサの出力をフィードバックして濃度調整などの画像形成制御を行うようにしてもよい。
【００１８】
操作表示部１９は、各種の情報表示が可能になっており、さらに操作者による操作入力を可能にする。なお、この実施形態では、タッチパネルなどによって操作表示部１９を構成することで表示と操作とを可能にしているが、操作表示部が操作部と表示部とを個別に備えるものであってもよい。
【００１９】
加湿装置Ｂは、画像形成装置本体Ａの下流に接続され、画像形成装置本体Ａから送り出された用紙Ｓ１の両面に水を塗布して加湿することにより、画像形成装置本体Ａの定着処理により形成された用紙のカールを除く。
用紙Ｓ１に加湿処理を施さない場合には、用紙Ｓ１を用紙搬送路Ｈ０１に導き、後処理装置Ｃに送り出し、加湿処理を施す場合には、用紙Ｓ１を加湿部２０のある用紙搬送路Ｈ０２を進行するように導く。
【００２０】
後処理装置Ｃは、用紙搬入部３１と、後処理を行う後処理部３２と、複数の搬送経路Ｈ１１、Ｈ１２と、複数の排紙先としてメイントレイ３３とサブトレイ３４とを有する。
用紙搬入部３１は、画像形成装置本体Ａから排出された用紙を受け入れ、搬送経路Ｈ１１または搬送経路Ｈ１２において用紙を搬送する。
後処理部３２としては、例えば、穴あけ処理部、重ね合わせ処理部、折り処理部、綴じ処理部等が挙げられる。該後処理部３２で後処理が行われた用紙または後処理が行われなかった用紙は、メイントレイ３３またはサブトレイ３４に排紙される。
【００２１】
図２は、本発明の画像形成装置１における一部の制御ブロックを示す図である。
制御部２は、画像形成装置１全体を制御するものであり、各部動作の調整を含む制御を行う。制御部２は、ＣＰＵおよび該ＣＰＵを動作させるプログラムを主として構成されている。
【００２２】
該制御部２には、前記画像読取部１１が制御可能に接続されている。画像読取部１１は、制御部２の制御を受けて原稿の画像を読み取り、ＣＣＤイメージセンサ１１Ａによって画像データを取得する。自動原稿送り装置ＡＤＦを用いる場合には、制御部２によって自動原稿送り装置ＡＤＦを制御し、原稿を自動で送りつつ原稿の画像を読み取って画像データを取得する。画像読み取りは、ユーザーの操作によって開始することができ、また、自動原稿送り装置ＡＤＦに原稿をセットすることで自動的に画像読み取りを開始するように設定することもできる。
【００２３】
制御部２には、画像処理部１２が接続されており、該画像処理部１２では、前記画像読取部１１で取得した画像データに対し、前記アナログ処理、Ａ／Ｄ変換、シェーディング補正、画像圧縮処理等の画像処理が行われる。
また、制御部２には画像形成部１４が制御可能に接続されており、画像データに基づいて該画像形成部１４で画像形成がされ、用紙に画像が転写されて定着される。
また、制御部２には、前記操作表示部１９が制御可能に接続されている。操作表示部１９では、表示部と操作部とを個別に備えるものであってもよく、これら表示部と操作部とが一体になったタッチパネルなどによって構成されたものであってもよい。
【００２４】
また、制御部２には、記憶部３が制御可能に接続されている。記憶部３には、画像データなどを格納するＲＡＭやＨＤＤ、装置の動作パラメータなどを格納したフラッシュメモリなどの不揮発メモリが含まれている。該記憶部３では、用紙の種類、印字率などに関連付けられた各部動作項目における自動調整内容や、各部動作項目における自動調整、手動調整の可否、設定された自動調整の内容または手動調整の内容などが格納される。
【００２５】
また、制御部２には、ＩＯ部４が接続されて、装置内の各部とのデータ入出力が可能になっている。ＩＯ部４には、例えば、前記紙捌きファン１５ａ、定着エア分離ファン１７ａ、デカーラ、カラーセンサ、加湿部２０などが接続されて、制御部２による制御が可能になっている。
【００２６】
上記制御部２では、装置の稼働に伴って、各部の動作がＩＯ部４を通して自動調整される。該自動調整では、用紙の種類やＪＯＢデータにおける印字率などに応じて記憶部３に記憶されている動作パラメータを用いた制御が行われる。
また、上記各部の動作項目について、一部または全部で手動調整を行うことができる。手動調整の可否は前記記憶部３に格納されており、操作者によって動作項目毎に手動調整の可否を設定変更できるようにしてもよい。該設定変更は、前記操作表示部１９を通して行う。
【００２７】
また、操作表示部１９のメニュー表示などにおいて、各部動作項目について手動調整を選択して、調整内容を設定することができる。
図３は、定着エア分離ファン１７ａの風量調整を行う設定画面１００を示すものである。該設定画面では、自動調整釦１０１、手動調整釦１０２を有し、調整量を示す風量表示部１０３、風量を増加させる増量釦１０４、風量を減少させる減量釦１０５、ＯＫ釦１０６、キャンセル釦１０７、戻る釦１０８を有している。
自動調整釦１０１が押釦されると、制御部２は、用紙の種類や印字率などに応じて記憶部３から風量調整値を読み出して、前記風量表示部１０３に表示する。風量表示部１０３では、最大風量に対する「％表示」がなされる。この状態でＯＫ釦１０６が押釦されると、自動調整量によって、定着エア分離ファン１７ａの風量が調整される。なお、初期設定では、自動調整が設定されている。
【００２８】
一方、手動調整釦１０２が押釦されると、風量表示部１０３に自動調整量によって風量が表示されるとともに、増量釦１０４または減量釦１０５の押釦によって風量の調整が可能になる。所定の風量になった状態でＯＫボタン１０６を押釦すれば、該風量によって手動調整がなされ、調整量は該風量に固定される。一方、キャンセルボタン１０７が押釦されると、増減した風量はキャンセルされ、当初に表示されていた風量に戻って風量表示部に表示される。戻る釦１０８が押釦されると、調整に関する設定はなされることなく、上位のメニュー画面などに戻る。
【００２９】
なお、上記調整では、自動調整と手動調整とで調整広さが異なるようにしてもよい。例えば、上記定着エア分離ファン１７ａの風量調整に際し、自動調整では、調整範囲を３０〜８０％に規定し、手動調整では１０〜１００％の範囲で調整できるようにする。また、自動調整と手動調整とで調整の詳細度を異なるようにしてもよい。例えば、自動調整では、調整量を５％単位で調整するのに対し、手動調整では、１％単位で調整できるようにしてもよい。
【００３０】
上記のようにして手動調整が選択されると、制御部２では、手動調整値に固定して当該部位の動作を制御する。本発明では、１以上の各部動作項目で手動調整が選択されている場合、用紙の切替時、ＪＯＢの切替時のタイミングで、手動調整の変更に関する判断を求める問い合わせ表示を前記操作表示部１９に行う。
【００３１】
図４は、手動調整の変更に関する問い合わせが行われている問い合わせ画面１１０であり、前記操作表示部１９に表示される。
該問い合わせ画面１１０では、手動調整がなされている動作項目の内容を表示する動作項目表示欄１１１と手動調整値を示す調整値表示欄１１２とを有している。
さらに問い合わせ画面１１０では、手動調整継続釦１１３、手動調整内容変更釦１１４、自動調整復帰釦１１５、ＯＫ釦１１６を有している。
【００３２】
前記タイミングで問い合わせ画面１１０が表示されると、操作者は、手動調整の継続可否、手動調整を継続する場合に調整内の変更の有無の判断が必要になる。手動調整をそのまま継続する場合、操作者は、手動調整継続釦１１３を押釦し、さらにＯＫ釦１１６を押釦することで、手動調整がそのまま継続されてＪＯＢの処理が継続する。一方、自動調整復帰釦１１５を押釦し、さらにＯＫ釦１１６を押釦することで、手動調整が解除され、自動調整に復帰する。制御部２は、該自動調整によって必要に応じて調整値を変更してＪＯＢの処理を継続する。
【００３３】
また、手動調整内容変更釦１１４を押釦して、ＯＫ釦１１６を押釦すると、図３に示すように、操作表示部１９を介して手動調整値を変更する画面が表示され、操作者によって手動調整値を変更してＪＯＢの処理を継続することができる。
上記判断は、手動調整がされている各部の動作項目毎に行うことができる。したがって、動作項目毎に、手動調整継続、手動調整内容変更、自動調整復帰のいずれかが選択される可能性がある。また、本発明としては、動作項目毎ではなく、一括して手動調整継続、自動調整復帰の選択を行うようにしてもよく、手動調整内容の変更において、各動作毎に調整値を変更するようにしてもよい。
【００３４】
また、手動調整が選択されている場合に、前記のタイミングで問い合わせの表示を行わないように設定可能にしてもよく、さらに動作項目毎に問い合わせ表示の可否を設定可能にしてもよい。
【００３５】
図５は、各動作項目毎に、前記問い合わせを行うか、画面を表示するか否かを設定する問い合わせ表示可否画面１２０を示すものであり、設定画面の下位画面として表示することができる。設定画面から問い合わせ表示可否を選択することで該画面が操作表示部１９に操作可能に表示される。
【００３６】
該問い合わせ表示可否画面１２０では、各動作項目毎に、表示ＯＮ釦１２１と表示ＯＦＦ釦１２２が用意されており、さらにＯＫ釦１２３とキャンセル釦１２４と、戻る釦１２５が押釦可能に表示されている。例えば、初期設定では、全ての動作項目で表示ＯＮが設定され、いずれかの動作項目で表示ＯＦＦ釦１２２が押釦されてＯＫ釦１２３が押釦されると、該動作項目について手動調整が選択され、かつ前記のタイミングになっても、手動調整の表示に関する問い合わせ画面は表示されず、手動調整がそのまま継続される。
【００３７】
また、表示ＯＦＦが設定されている動作項目について表示ＯＮ釦１２１が押釦されてＯＫ釦１２３が押釦されると、該動作項目について手動調整が選択され、かつ前記のタイミングになると、手動調整の表示に関する問い合わせ画面が表示される。
戻る釦１２５が押釦されると、設定変更がなされることなく上位の設定画面などに戻る。
また、キャンセル釦１２４が押釦されると、当該画面で操作した内容がキャンセルされ、該画面表示初期の設定内容に戻る。
【００３８】
次に、手動調整がなされている際のジョブの処理手順を図６、７のフローチャートに基づいて説明する。以下の処理手順は制御部２の制御によって実行される。
先ず、ＪＯＢの切替として新規ＪＯＢが開始し、ユーザーによるＪＯＢ設定が受け付けられる（ステップｓ１）。該設定では、用紙の種類や印字率の設定などがなされる。次いで、前ＪＯＢで手動調整モードの設定になっているか否かの判定がなされる（ステップｓ２）。前ＪＯＢで手動調整が選択されていなければ（ステップｓ２、ＮＯ）、本処理を終了する。
前ＪＯＢで手動調整が選択されていれば（ステップｓ２、ＹＥＳ）、手動調整の変更に関する問い合わせを操作表示部１９に表示する（ステップｓ３）。該問い合わせ画面の一例は図４に示されている。該問い合わせでは、手動調整の設定継続の有無、手動調整内容の変更の有無に関する判断を求める表示がなされる。。
【００３９】
該問い合わせに対する操作者（ユーザー）の操作入力がなされ、その結果、調整モードの変更が有ったか否かの判定がなされる（ステップｓ４）。手動調整の継続が選択されていて調整モードの変更がなければ（ステップｓ４、ＮＯ）、前ＪＯＢの手動調整設定をそのまま継続し、ＪＯＢをスタートする（ステップｓ８）。
調整モードの変更があれば（ステップｓ４、ＹＥＳ）、自動調整モードに変更されたか否かの判定がなされる（ステップｓ５）。自動調整モードに設定変更されていれば（ステップｓ５、ＹＥＳ）、自動調整設定に変更してＪＯＢをスタートする（ステップｓ６）。自動調整モードに設定変更されていなければ（ステップｓ５、ＮＯ）、手動調整の内容変更が選択されており、該内容変更の設定をし、ＪＯＢをスタートする（ステップｓ７）。
【００４０】
上記ステップｓ６〜ｓ８の処理後、ＪＯＢ実行中に給紙トレイで紙無しが発生したか否かの判定がなされる（ステップｓ９）。紙無しが発生していなければ（ステップｓ９、ＮＯ）、ＪＯＢ終了判定の処理に移行する（ステップｓ１９）。紙無しが発生している場合（ステップｓ９、ＹＥＳ）、ＡＴＳ設定がオンになっているか否かの判定がなされる（ステップｓ１０）。ＡＴＳ（オートトレイスイッチ：自動給紙トレイ切替）は、給紙トレイで紙無しなどが発生した際に、同一の用紙が収納されている給紙トレイに自動的に切り替えて給紙を継続する機能である。制御部２では、紙無しなどが発生した際に自動給紙トレイ切替を行うか否かの設定が可能になっており、設定内容は記憶部３に格納しておき、必要に応じて設定内容が読み出される。なお、自動給紙トレイ切替は、紙無しが発生した場合の他、給紙トレイの用紙が所定枚数給紙されるなどして給紙トレイに所定枚数の用紙が残っている状態で行うものであってもよい。
【００４１】
紙無し判定後、ＡＴＳ設定がなされていないと判定される場合（ステップｓ１０、ＮＯ）、操作者（ユーザー）による同一トレイへの用紙補給がされることで（ステップｓ１１）、次ステップｓ１２に移行する。ＡＴＳ設定が設定されている場合（ステップｓ１０、ＹＥＳ）、そのままステップｓ１２に移行する。
ステップｓ１２では、手動調整設定モードが選択されているか否かの判定がなされる。手動調整設定モードが選択されていなければ（ステップｓ１２、ＮＯ）、ＪＯＢ終了判定の処理に移行する（ステップｓ１９）。
手動調整設定モードが選択されていれば（ステップｓ１２、ＹＥＳ）、ステップｓ３と同様に手動調整の変更に関する問い合わせを操作表示部１９に表示する（ステップｓ１３）。該問い合わせでは、手動調整の設定継続の有無、手動調整内容の変更の有無に関する判断を求める表示がなされる。
【００４２】
上記表示でユーザーによる選択がなされ、その結果、調整モードの変更があるか否かの判定がなされる（ステップｓ１４）。調整モードの変更は、手動調整から自動調整への変更、手動調整の内容変更である。手動調整の継続が選択されて調整モードの変更がなければ（ステップｓ１４、ＮＯ）、手動調整設定をそのまま継続してＪＯＢを再開する（ステップｓ１８）。調整モードの変更があれば（ステップｓ１４、ＹＥＳ）、自動調整モードに変更されたか否かの判定がなされる（ステップｓ１５）。自動調整モードに設定変更されていれば（ステップｓ１５、ＹＥＳ）、自動調整設定に変更してＪＯＢを再開する（ステップｓ１６）。自動調整モードに設定変更されていなければ（ステップｓ１５、ＮＯ）、手動調整の内容変更が選択されており、該内容変更の設定をし、ＪＯＢを再開する（ステップｓ１７）。
ステップｓ１６〜ｓ１８後には、ステップｓ１９でＪＯＢ終了の判定を行う。
ステップｓ１９でＪＯＢが終了していなければ（ステップｓ１９、ＮＯ）、ステップｓ９に戻って上記処理を繰り返す。ステップｓ１９でＪＯＢが終了していると判定されると（ステップｓ１９、ＹＥＳ）、本処理を終了する。
上記により、ＪＯＢの切替タイミング、用紙の切替タイミングで、操作者（ユーザー）は手動調整の変更に関する判断を確実に行うことになる。
【００４３】
なお、上記フローチャートでは説明しなかったが、手動調整の変更に関する判断を求める際に、手動調整に関するアドバイス表示を行うようにしてもよい。該アドバイス表示は、各動作項目毎に表示可否を設定可能にしてもよい。なお、本発明としてはアドバイス表示を行わないものであってもよい。
【００４４】
図８は、アドバイス表示画面１３０の一例を示すものであり、操作表示部１９に表示される。
すなわち、このアドバイス表示画面１３０は、手動調整項目が、定着エア分離ファンの風量調整であることを前提としている。前記用紙の切替やＪＯＢの切替のタイミングで手動調整設定の継続を確認するとともに、画像濃度と定着シワと定着分離性と下ローラーへの巻きつき注意についての手動調整アドバイスをアドバイス表示画面１３０に表示する。ＪＯＢ切替時に画像濃度が大きく変わることが予想される場合、特に、現ＪＯＢが網掛けの不利領域に入っており、特殊な設定をしている場合に上記関係をアドバイスとして表示するのが有益である。ユーザーは、この画面を見て、画像濃度の関連から、定着分離性、カールシワ発生が有利になるように、定着エア分離ファンの風量を調整すればよい。
また、定着分離性やカールシワ発生は、用紙の種類によって状態が変わるため、上記アドバイス表示画面１３０は、用紙の種類に応じて画面内容が用意される。該画面内容のデータは記憶部３に格納しておき、制御部２によって必要に応じて読み出される。
なお、アドバイス表示は、動作項目毎に表示の可否を設定できるようにしてもよい。
【００４５】
以上、本発明について上記実施形態に基づいて説明を行ったが、本発明は上記実施形態の内容に限定されるものではなく、本発明の範囲を逸脱しない限りは適宜の変更が可能である。
【符号の説明】
【００４６】
１    画像形成装置
２    制御部
３    記憶部
Ａ    画像形成装置本体
Ｂ    加湿装置
Ｃ    後処理装置
１９    操作表示部
【図１】
0005532243.tif 000002
【図２】
0005532243.tif 000003
【図３】
0005532243.tif 000004
【図４】
0005532243.tif 000005
【図５】
0005532243.tif 000006
【図６】
0005532243.tif 000007
【図７】
0005532243.tif 000008
【図８】
0005532243.tif 000009